【事件の表示】
　特願２００３−１９２２７９「オーディオ並びにデータ多重送信装置及び無線オーディオシステム」拒絶査定不服審判事件〔平成１６年　８月１９日出願公開、特開２００４−２３６２８３〕について、次のとおり審決する。
【結　論】
　本件審判の請求は、成り立たない。
【理　由】
１．手続の経緯と本願発明
　本願は、平成１５年７月４日（パリ条約の例による優先権主張　２００３年１月２９日、台湾）の出願であって、特許請求の範囲の請求項１に係る発明は、平成１７年１２月２８日付け手続補正書により補正された明細書及び図面の記載からみて、以下のとおりのものと認める。
　
　「オーディオ及びデータを多重送信する無線オーディオシステムであって、該無線オーディオシステムは種々の形式を有する複数の入力信号を受信するトランスミッターと、ＲＦ信号を受信して種々の形式を有する複数の出力信号を出力するレシーバーを含み、該複数の入力信号は少なくとも
第一デジタルオーディオ入力信号
　該トランスミッターは、
　前記第一デジタルオーディオ入力信号の形式を変換し、変換されたデジタルオーディオ信号を前記制御入力信号と合わせてビットストリーム形式のデジタル入力信号を出力する選択合成装置と、
　前記選択合成装置と電気的に接続されて前記ビットストリーム形式のデジタル入力信号を変調して対応するベースバンド信号を生成する変調モジュールと、
　前記変調モジュールと電気的に接続されて前記ベースバンド信号をＲＦ信号に変換して自由空間に発送する伝送回路とを含み、
　該レシーバーは、
　前記ＲＦ信号を受信して対応するベースバンド信号を生成する受信回路と、
　前記受信回路と電気的に接続されて前記ベースバンド信号を復調してビットストリーム形式のデジタル出力信号を生成する復調モジュールと、
　前記ビットストリーム形式のデジタル出力信号を制御出力信号と
第一デジタルオーディオ出力信号
　そのうち第一デジタルオーディオ出力信号と制御出力信号は前記第一デジタルオーディオ入力信号と前記制御入力信号とにそれぞれ対応することを特徴とする無線オーディオシステム。」
　
　なお、請求項１には、「第一デジタルオーディオ信号」という記載が有るが、その後段に「該トランスミッターは、前記第一デジタルオーディオ入力信号の形式を変換し・・・」と記載されているように、トランスミッターに入力される複数の入力信号の一つは「第一デジタルオーディオ入力信号」であると認められるから、「第一デジタルオーディオ入力信号」の誤記と認め、同様に、請求項１には、「デジタルオーディオ出力信号」という記載が有るが、その後段に「そのうち第一デジタルオーディオ出力信号と・・・」と記載されているように、分離判断装置で分離される信号は「第一デジタルオーディオ出力信号」であると認められるから、「第一デジタルオーディオ出力信号」の誤記と認め、本願の請求項１に係る発明（以下、「本願発明」という。）を上記のとおり認定した。
　なお、上記記載のうち、下線は該当箇所を示す。
　
２．引用発明
　これに対して、原審の拒絶の理由に引用された特開２００１−１７７５０７号公報（以下、「引用例１」という。）には図面とともに以下の事項が記載されている。
　
　イ．「【０００３】
【発明の属する技術分野】本発明は、広くは、デジタル的にサンプリングされたアナログ信号を送信及び受信する電子回路及びシステムに関する。更に詳しくは、本発明は、デジタル・オーディオ信号を送信及び受信する電子回路及びシステムに関する。」（第８頁第１４欄、段落【０００３】）、
　
　ロ．「【００１５】米国特許第５，６０２，６６９号（Chaki）には、特定の周波数帯域内のデジタル・オーディオ信号を送信し、その特定された周波数帯域を受信するデジタル送受信機が与えられている。このChakiへの米国特許では、直交位相シフト・キーイング（ＱＰＳＫ）を用いて基本周波数を変調している。ＱＰＳＫ変調された信号は、送信のために赤外線エミッタに転送される。」（第９頁第１６欄、段落【００１５】）、
　
　ハ．「【００１７】米国特許第５，７４５，５８２号（Shimpuku, et al.）は、デジタル・フォーマットのオーディオ信号を、送信経路を介して音質の劣化を小さく維持しながら光学的に送信することができるオーディオ信号の送受信システムを教示している。このオーディオ信号送信システムは、誤り訂正信号をデジタル・オーディオ信号に追加する回路を有する。次に、誤り訂正信号を伴ったデジタル・オーディオ信号は、コード化されインターリーブされて、オーディオ伝送信号を発生する。デジタル・オーディオ伝送信号の再生に用いられるデジタル制御信号を反復することによって、連続的な信号が発生される。マルチプレクサが、オーディオ伝送信号と連続的な信号とを合成して、多重化された信号を発生する。次に、変調回路が、所定のデジタル変調方法により、多重化された信号を用いて上述のものと類似するキャリア信号を変調し、所定の周波数帯域の範囲に含まれる変調された信号を発生する。変調された信号は、光送信信号によって伝送される。別のタイプのＱＰＳＫ変調方法によっても、好ましくは、変調された信号を生じることができる。Shimpuku他への米国特許には、更に、デジタル・オーディオ信号及びデジタル制御信号を光送信信号から再生させるオーディオ信号受信回路が記載されている。オーディオ信号受信回路は、光学的な送信信号を電気的な受信信号に変換する光受信機を有する。次に、変調された信号が再生されることにより、多重化された信号を再生する所定のデジタル変調方法に対応するデジタル変調方法を用いて受信信号を復調することが可能になる。分離回路が、オーディオ送信信号と連続信号とを多重化された信号から分離する。そして、オーディオ送信信号がインターリーブ解除され、追加された誤り訂正信号に基づく誤り訂正が実行されて、デジタル・オーディオ信号が再生される。」（第９頁第１６欄〜第１０頁第１７欄、段落【００１７】）、
　
　ニ．「【００１８】デジタル・ソース１０は、多くの場合、コンパクト・オーディオ・ディスク（ＣＤ）、ＭＰ３（Moving Picture Expert Group Audio Layer 3）のデータ・ファイル、デジタル・オーディオ・テープ（ＤＡＴ）、デジタル・ビデオ・ディスク（ＤＶＤ）、又はデジタル衛星受信機（ＤＳＲ）である。デジタル・ソース１０からのデジタル化されたサンプルのフォーマットは、ソニー／フィリップス・デジタル・インターフェース（Ｓ／ＰＤＩＦ）を用いて共通にコンパイルを行う。この規格から発展した国際的な規格としては、オーディオ・エンジニアリング・ソサイエティ（ＡＥＳ）によるＡＥＳ−３、ヨーロピアン・ブロードキャスタズ・ユニオン（ＥＢＵ）によるＴｅｃｈ．３２５０−Ｅ、日本電子産業協会（ＥＩＡＪ）によるＣＰ−３４０、国際電子委員会（ＩＣＥ）によるＩＣＥ６０９５８などがある。これらの規格は、類似してはいるが、必ずしも同一ではない。オーディオ・アナログ信号からデジタル化されたサンプルを作成する際に許容されるサンプリング周波数又はサンプリング・レートは、ＣＤ及びＭＰ３の場合は４４．１ｋＨｚ、ＤＡＴ及びＤＶＤの場合は４８ｋＨｚ、ＤＳＲの場合には３２ｋＨｚである。」（第１０頁第１７欄、段落【００１８】）、
　
　ホ．「【００２７】更に、本発明の別の目的は、様々なサンプリング・レートを有する外部ソースからのアナログ信号のデジタル化サンプルを１つのレートを有するアナログ信号のデジタル化サンプルに変換することである。」（第１１頁第１９欄、段落【００２７】）、
　
　ヘ．「【００４２】
【発明の実施の形態】次に、図３を参照して、本発明による送信及び受信システムの構造を論じる。アナログ信号源３０５は、左チャネルＬと右チャネルＲとにアナログ信号を発生する。アナログ信号源３０５は、マイクロフォン、無線受信機／チューナ、又はアナログ記録媒体などであり得る。左チャネルＬ及び右チャネルＲそれぞれからのアナログ信号は、アナログ／デジタル・コンバータ３１５及び３２０への入力である。アナログ／デジタル・コンバータ３１５及び３２０は、固定された１つのレートでアナログ信号をサンプリングする。好適実施例では、この固定されたレートは４８ｋＨｚであり、別の実施例では、４４．１ｋＨｚである。
【００４３】デジタル信号源３１０は、アナログ信号のデジタル化サンプルであって、先にサンプリングされ、コンパクト・ディスク、デジタル・オーディオ・テープ、又はそれ以外のデジタル記憶媒体などに記録又は記憶されているものを提供する。デジタル化サンプルのサンプリング・レートは、好適実施例の固定されたレートとは異なることがある。Ｓ／ＰＤＩＦフォーマットを実現する産業規格に従っているデジタル信号源３１０の場合には、サンプリング・レートは、すでに述べたように、４４．１ｋＨｚ、４８ｋＨｚ及び３２ｋＨｚである。
【００４４】アナログ信号のデジタル化サンプルは、送信機３９５に転送される。送信機３９５は、異なるサンプリング・レートから発生されたこれらのデジタル化サンプルを、固定されたレートから発生されたデジタル化サンプルに変換する。
【００４５】デジタル化サンプルは、デジタル化サンプルをインターリーブするように再構成され、それによって、隣接するデジタル化サンプルは分離されて、別の時刻に伝送されることになる。この分離によって、伝送に伴う干渉によってデジタル化サンプルの訂正及び再構成が妨げられる確率が最小化される。
【００４６】次に、図８を参照して、本発明によるデジタル化サンプルのデータ構造を論じる。本発明では、データ・サンプルは、２バイト（１６ビット）の可能性があるデータ・サンプルから構成される。Ｓ／ＰＤＩＦの残りのバイト（８ビット）は、廃棄される。２３８バイトの第１のグループ８１０は、偶数指定されたサンプルの左チャネルＬ（Ａチャネル）の交互の最下位バイトと右チャネルＲ（Ｂチャネル）の最下位バイトとから構成される。２３８バイトの第２のグループ８１５は、偶数指定されたサンプルの左チャネルＬの交互の最上位バイトと右チャネルＲの最上位バイトとから構成される。２３８バイトの第３のグループ８２０は、奇数指定されたサンプルの左チャネルＬの交互の最下位バイトと右チャネルＲの最下位バイトとから構成される。２３８バイトの第４のグループ８２５は、奇数指定されたサンプルの左チャネルＬの交互の最上位バイトと右チャネルＲの最上位バイトとから構成される。これから理解できるように、１つのデジタル化サンプルのバイトは、伝送の間、２３８バイトだけ分離される。更に、隣接する２つのデジタル化サンプルは、少なくとも２３８バイトは分離される。この構造は好適実施例に対して適切であるが、これ以外のインターリーブ・パターンも可能であり、本発明の意図に一致している。」（第１３頁第２３〜２４欄、段落【００４２】〜段落【００４６】）、
　
　ト．「【００４９】図８の追加されたＥＣＣ符号を伴うインターリーブされたデジタル化サンプルが、図６に示されているように、シリアル伝送のために形成される。各フレームは、偶数サブフレーム６１０及び奇数サブフレーム６１５という２つのサブフレームに分けられる。偶数サブフレーム６１０は、図８に記載されているように、偶数指定され得たデジタル化サンプル８００のグループとして構成され、奇数サブフレーム６１５は、図８に記載されているように、奇数指定され得たデジタル化サンプル８０５のグループとして構成される。ＥＣＣ符号８３５は、偶数指定されたデジタル化サンプルに追加されてサブフレーム６１０を完成させ、ＥＣＣ符号８４５は奇数指定されたデジタル化サンプル８０５に追加される。
【００５０】タイミング・プリアンブル６２０及び６３０と開始フラグ信号６２５及び６３５とは、それぞれが、偶数サブフレーム６１０及び奇数サブフレーム６１５の前に追加される。タイミング・プリアンブル６２０及び６３０は、それぞれが、各サブフレーム６１０及び６２０の開始を識別するユニークなパターンの１６バイトまでで構成される。タイミング・プリアンブル６２０及び６３０のパターンは、以下で説明する通常のパルス位置変調に違反するユニークなパターンである。タイミング・プリアンブル６２０及び６３０のユニークなパターンは、受信機がタイミング・プリアンブル６２０及び６３０を識別しそのタイミング・プリアンブル６２０及び６３０の上にロックすることを可能にするのに十分なほど長い。開始フラグ信号６２５及び６３５は、それぞれが、偶数サブフレーム６１０及び６１５の開始を指示するユニークなパターンの２バイトで構成されている。」（第１３頁第２４欄〜第１４頁第２５欄、段落【００４９】〜【００５０】）、
　
　チ．「【００５１】アナログ信号のデジタル化サンプルのフォーマットされたグループは、次に、送信機内でキャリア信号を変調するのに用いられる。好適実施例では、この変調は、図７に示されているパルス位置変調（ＰＰＭ）である。プロット７２５は、デジタル化サンプルの基本的な生の非ゼロ復帰コード化データを構成する電圧レベルの可能な組合せを示している。それぞれのビット時間Ｔbpm７００、７０５、７１０及び７１５は、４つの位相φ１、φ２、φ３、φ４に分割される。プロット７２０は、本発明による結果的なパルス位置変調符号を示している。ビット時間７００に図解されているＮＲＺ符号（００）は、論理レベル１を位相スロットφ１に配置する。ビット時間７０５に図解されているＮＲＺ符号（０１）は、論理レベル１を位相スロットφ２に配置する。ビット時間７１０に図解されているＮＲＺ符号（１０）は、論理レベル１を位相スロットφ３に配置する。ビット時間７１５に図解されているＮＲＺ符号（１１）は、論理レベル１を位相スロットφ４に配置する。
【００５２】次に、変調されたキャリア信号は、通信媒体３４５にバースト伝送される。変調されたキャリア信号は、無線通信では大気の中へ放射される光又はラジオ周波数（ＲＦ）として伝送される、又は、有線通信では通信ケーブルに転送される光又はラジオ周波数として伝送される。変調されたキャリア信号は、光として伝送される場合には、光ファイバ・ケーブル上を伝送される。変調されたキャリア信号は、ＲＦとして伝送される場合には、同軸ケーブル又は単純な撚線対の２有線ケーブルなどのケーブル上を伝送される。
【００５３】デジタル化サンプルの１フレームを構成する４７６のデジタル化サンプルは、ステレオ音楽プレゼンテーションの１１９のサンプルを、又は、２．４７９ミリ秒のプレゼンテーションを表す。好適実施例における変調されたキャリア信号の伝送周波数は、２．０ＭＨｚである。従って、タイミング・プリアンブル、開始フラグ信号、ＥＣＣ符号ワード及びコマンド及び制御バイトに結合された４７６のデジタル化サンプルの伝送（４９３バイト）は、完了するのに、１．９７２ミリ秒を要する。送信機は、２０．５％の時間は送信を行わない、すなわち、アイドル状態にある。これによって、ノイズのいずれかのバーストが伝送に干渉を与える確率が最小化される。伝送周波数が上昇する、又は、デジタル化サンプルのバーストの周期が減少する場合には、伝送時間は減少し、アイドル時間は増加し、干渉を生じない確率は更に改善される。
【００５４】通信媒体３４５上を伝送される変調されたキャリア信号は、受信機３００まで伝達される。受信機は、光又はＲＦ信号を電気信号に変換することによって、変調されたキャリア信号を回復する。変調されたキャリア信号は、次に、復調され、アナログ信号のデジタル化サンプルのグループの伝送されたフレームが回復される。」（第１４頁第２５〜２６欄、段落【００５１】〜【００５４】）、
　
　リ．「【００６９】次に、図４を参照して、本発明による送信機システム３９５について論じる。アナログ信号源３０５は、既に述べたように、左チャネルＬ及び右チャネルＲのアナログ信号を提供する。アナログ／デジタル・コンバータ３１５及び３２０は、それぞれ、左チャネルＬ及び右チャネルＲのアナログ信号をサンプリングし、アナログ信号のデジタル化サンプルを発生する。更に、既に述べたように、デジタル信号源３１０は、アナログ信号のデジタル化サンプルを提供する。
【００７０】デジタル信号源３１０からのアナログ信号のデジタル化サンプルは、デジタル受信機４００に転送される。デジタル受信機４００は、デジタル化サンプルを、それらのサンプルがデジタル信号源の内部で保持されているサンプリング・レート（たとえば、ＣＤ及びＭＰ３では４４．１ｋＨｚ、ＤＡＴ及びＤＶＤでは４８ｋＨｚ、ＤＳＲでは３２ｋＨｚ）で取得する。アナログ信号のデジタル化サンプルは、可変サンプリング・レート（ＶＳＲ）コンバータ４０５に転送される。ＶＳＲコンバータ４０５は、アナログ信号のデジタル化サンプルを修正して、固定されたレートでサンプリングされたアナログ信号のデジタル化サンプルを作り出す。好適実施例では、この固定レートは４８ｋＨｚである。別の実施例では、４４．１ｋＨｚの固定レートを用いている。
【００７１】これを達成する方法は、アナログ信号のデジタル化サンプルをデジタル・アナログ・コンバータに送り、元のアナログ信号を再生することである。再生されたアナログ信号は、次に、固定されたレートすなわち好適実施例の場合には４８ｋＨｚで再生されたアナログ信号をサンプリングするアナログ／デジタル・コンバータへの入力となる。別の実施例では、この固定レートは、４４．１ｋＨｚなどの別の周波数である。
【００７２】アナログ信号のデジタル化サンプルは、次に、アナログ／デジタル・コンバータ３１５及び３２０すなわち可変サンプリング・レート・コンバータから、伝送データ・バッファ・コントローラ４１０を介して伝送データ・バッファ４１５に転送される。
【００７３】伝送データ・バッファ・コントローラ４１０は、アナログ信号のデジタル化サンプルの伝送データ・バッファ４１５への、及び、伝送データ・バッファからの検索を制御する。伝送データ・バッファ４１５は、ランダム・アクセス・メモリ（ＲＡＭ）である。好適実施例では、伝送データ・バッファ４１５は、スタティックＲＡＭである。しかし、ダイナミックＲＡＭ（ＤＲＡＭ）やシンクロノスＤＲＡＭなど、他のメモリ構造を伝送データ・バッファ４１５に用いることができ、その場合でも本発明の意図を逸脱することはない。
【００７４】次に、図８を参照して、伝送データ・バッファ４１５の構造と、アナログ信号のデジタル化サンプルの成分バイトの割当てとについて論じる。伝送データ・バッファ４１５は、バッファ・ブロックのグループというセグメントに分割される。好適実施例では、３つのバッファ・ブロックがある。バッファ１である８５０、バッファ２である８７０及びバッファ３である８９０である。アナログ信号のデジタル化サンプルはそれぞれのバッファに配置されているが、既に述べたように、アナログ信号の偶数指定されたデジタル化サンプル８１０の２３８の最下位バイトが第１のバッファ・ブロック８５０の第１のアドレス・セグメント８５２を占有している。偶数指定されたデジタル化サンプル８１５の２３８の最上位バイトと、コマンド及び制御バイト８３０と、ＥＣＣ符号８４０とが、第１のバッファ・ブロック８５０の第２のアドレス・セグメント８６４を占有している。奇数指定されたデジタル化サンプル８２０の２３８の最下位バイトが、第１のバッファ・ブロック８５０の第３のアドレス・セグメント８５６を占有している。奇数指定されたデジタル化サンプル８２５の２３８の最上位バイトが、第１のバッファ・ブロック８５０の第４のアドレス・セグメント８５８を占有している。この構造によって、デジタル化サンプルのインターリーブが、伝送の間の誤りの訂正及び秘匿が可能になる。
【００７５】デジタル化サンプルの追加的なフレームも、同様に、第１のバッファ・ブロック８５０について説明したのと同じ構造で、第２のバッファ・ブロック８７０及び第３のバッファ・ブロック８９０の中に保持されている。これにより、（外部信号源３０５及び３１０からの受信、ＥＣＣコード化及び送信などの）動作をパラレルに達成することができる。
【００７６】最上位バイト８１５及び８２０と、コマンド及び制御バイト８３０及び８４０とのグループは、それぞれが、伝送データ・バッファ４１５から読み出され、伝送データ・バッファ・コントローラを介してリード・ソロモン誤り訂正エンコーダ４２０に転送される。ＥＣＣエンコーダ４１５は、ガロア体ＧＦ（２8）を備えたシンボル符号ワードを発生する。各シンボルは１バイトであり、既に述べたように、この符号によって８バイトの訂正が可能になる。
【００７７】ＥＣＣ符号８４０及び８４５は、それぞれが、第２のアドレス・セグメント８５４と第４のアドレス・セグメント８５８とにおける偶数及び奇数指定されたデジタル化サンプル８００及び８０５の最上位バイト８１５及び８２０に追加される。
【００７８】インターリーブされたデジタル化サンプルは、伝送データ・バッファ４１５のそれぞれのバッファ・ブロック８５０、８７０及び８９０から検索され、個別的に、伝送データ・バッファ・コントローラ４１０を介してフレーム・フォーマッタ４２５まで転送される。フレーム・フォーマッタは、図６のタイミング・プリアンブル６２０及び６３０と開始フラグ信号６２５及び６３５とを追加し、アナログ信号のデジタル化サンプルのインターリーブされたグループの各伝送フレーム６０５のサブフレームを組み立てる。
【００７９】図９は、図４の伝送データ・バッファ４１５のアクセス及び検索パターンを時間経過と共に示している。アナログ／デジタル・コンバータ３０５又はデジタル信号源３１０からのデジタル化サンプルの第１のグループは、第１の時間セグメント９００において第１のバッファ・ブロック８５０に記憶される。アナログ／デジタル・コンバータ３０５又はデジタル信号源３１０からのデジタル化サンプルの第２のグループは、第２の時間セグメント９０５において第２のバッファ・ブロック８７０に記憶される。第２の時間セグメント９０５の間に、ＥＣＣエンコーダ４２０が、第１のバッファ・ブロック８５０にアクセスし、ＥＣＣ符号８４０及び８４５を発生し、ＥＣＣ符号８４０及び８４５を第１のバッファ・ブロック８５０に記憶する。第３の時間セグメント９１０では、デジタル化サンプルの第１のグループが第３のバッファ・ブロック８９０に記憶され、ＥＣＣ符号が発生されて第２のバッファ・ブロック８７０に記憶され、ＥＣＣ符号が追加されたデジタル化サンプルの第１のグループがフレーム・フォーマッタ４２５まで転送され伝送される。第４の時間セグメント９１５の間には、デジタル化サンプルの第４のグループが第１のバッファ・ブロック８５０に配置され、第２のバッファ・ブロック８７０におけるデジタル化サンプルのグループが伝送のために送られ、第３のバッファ・ブロック８９０の中のデジタル化サンプルのグループに対するＥＣＣ符号が発生され、第３のバッファ・ブロック８９０に再度記憶される。
【００８０】このパターンすなわち伝送データ・バッファ４１５への記憶及びアクセスは、すべてのこれ以降のセグメント９２０及び９２５に対して継続し、バッファ・ブロック８５０、８７０及び８９０への同時的なアクセス及び記憶を強制する。伝送データ・バッファ・コントローラ４１０は、これらのアクセス及び記憶を適切に仲裁して、コンフリクトが生じないことを保証しなければならない、フレーム・フォーマッタ４２５からは、フォーマットされた伝送フレームがパルス位置変調器４３０に転送される。パルス位置変調器４３０は、図７に記載されていたように、伝送フレームの各ビット対をコード化する。好適実施例では、伝送フレームによって変調されたキャリア信号の周波数は、少なくとも２．０ＭＨｚである。
【００８１】既に述べたように、伝送フレームによって表されるオーディオ・アナログ信号の時間周期は、２．４７９ミリ秒であり、キャリア信号が２ＭＨｚであり、各伝送フレームは、１．９７２ミリ秒の継続時間を有している。既に述べたように、バースト送信機４３５は、作動されると、変調されたキャリア信号を送信する。本発明の好適実施例では、バースト送信機４３５は、発光ダイオード４４５を付勢及び消勢して通信媒体３４５として作用する大気に向けて光りを送出させるスイッチング回路である。
【００８２】既に述べたように、通信媒体３４５は、有線又は無線である。有線の通信媒体は、光ファイバ・ケーブル、同軸ケーブル又は２有線の撚線対などである。バースト送信機４３５は、光又はＲＦ信号のいずれかを、有線又は無線通信媒体３４５の中に送信する。
【００８３】クロック回路４４０は、必要なタイミング信号をアナログ／デジタル・コンバータ３１５及び３２０に提供して、４８ｋＨｚという固定レート（又は、４４．１ｋＨｚという別の固定レート）を保証する。クロック回路４４０は、必要なタイミング信号を提供して、変換される固定レートとは異なるレートで得られたアナログ信号のデジタル化サンプルを、固定レートでサンプリングされたアナログ信号のデジタル化サンプルに変換する。
【００８４】クロック回路４４０は、２ＭＨｚのキャリア信号を発生し、それをパルス位置変調器３４０に転送して、バースト送信機４３５への入力となる変調されたキャリア信号を作成する。
【００８５】クロック回路４４０は、図４の送信機３９５又は受信機３００のいずれかにおいて位相ロック・ループ発振器を不要にする固定周波数タイミング発生回路である。」（第１６頁第２９欄〜第１７頁第３２欄、段落【００６９】〜【００８５】）、
　
　ヌ．「【００８６】次に、図５を参照して、本発明の受信システム３００を論じる。変調されたキャリア信号は、通信媒体３４５を介して受信機５０５まで転送され、受信機５０５は、変調されたキャリア信号を回復する。好適実施例では、大気を介して転送された光が、光検出のダイオード５００上に衝突する。光検出ダイオード５００における変化が受信機において感知及び増幅されて、変調されたキャリア信号が回復される。受信機５０５は、変調されたキャリア信号上に固定され、変調されたキャリア信号をオーバーサンプリングし、図１１に関して既に説明したように、アナログ信号のデジタル化サンプルのグループを捕捉することによって、この回復を完了する。復調器５１０は、パルス位置変調されたデジタル化サンプルを、図７に関して既に説明したように、デジタル化サンプルの生の非ゼロ復帰コード化データに変換する。
【００８７】復調されたデジタル化サンプルは、ここで、図８のインターリーブされたデジタル化サンプルのフレーム・フォーマットを有しており、復調器５１０から、受信データ・バッファ・コントローラ５１５を介して、受信データ・バッファ５２０に転送される。
【００８８】受信データ・バッファ５２０は、図４の伝送データ・バッファ４１５のように構成されている。受信データ・バッファ５２０は、ランダム・アクセス・メモリであり、本発明の好適実施例では、スタティックＲＡＭである。しかし、ＤＲＡＭやシンクロナスＲＡＭなど、他のメモリ構造を受信データ・バッファ５２０として用いることができ、その場合でも本発明の意図するところから逸脱することはない。
【００８９】受信データ・バッファ５２０の構造は、図８に示されている伝送データ・バッファ４１５の構造と同一である。受信データ・バッファ５２０は、バッファ・ブロック８５０、８７０及び８９０のグループを有している。バッファ・ブロック８５０、８７０及び８９０は、それぞれが、アナログ信号のインターリーブされたデジタル化サンプルのフレームを保持するアドレス・セグメント８５２、８５４、８５６及び８５８を有している。
【００９０】アナログ信号の偶数指定されたデジタル化サンプル８１５の最上位バイトと、ＥＣＣ符号８４０及び８４５が追加されたアナログ信号の奇数指定されたサンプル８２５の最上位バイトとは、受信データ・バッファ・コントローラ５１５によって、受信データ・バッファ５２０から検索され、リード・ソロモンＥＣＣデコーダ５２５に転送される。リード・ソロモンＥＣＣデコーダ５２５は、既に述べたリード・ソロモンＥＣＣ法を用いて偶数及び奇数指定されたデジタル化サンプル８１５及び８２５の最上位バイトを検査して訂正する。偶数及び奇数指定されたデジタル化サンプル８１５及び８２５の訂正された最上位バイトは、受信データ・バッファ・コントローラ５１５を介して、受信データ・バッファ５２０に記憶される。訂正不可能な誤り（既に述べたように、８バイト以上に誤りがある場合）を有するデジタル化サンプルの偶数及び奇数指定された最上位バイトは、更なる処理のために識別され、再生されたアナログ信号上の誤りの影響を秘匿する。
・・・・（中　略）・・・・
【００９５】次に、アナログ信号のデジタル化サンプルの各フレームは、受信データ・バッファ５２０から受信データ・バッファ・コントローラ５１５を介してデータ・アウト・インターフェース５５０まで転送される。好適実施例では、データ・アウト・インターフェースは、デジタル・オーディオ伝送に対してこの技術分野で知られているＩ2Ｓインターフェースである。データ・アウト・インターフェース５５０は、アナログ信号のデジタル化サンプルをアナログ／デジタル・コンバータ３７０及び３７５に転送する。アナログ／デジタル・コンバータ３７０及び３７５は、左チャネルＬに対してアナログ信号出力３８０を、右チャネルＲに対してアナログ信号出力３８５を、再生する。データ・アウト・インターフェースは、また、外部の回路による更なる処理のためにデジタル・フォーマット３９０でのデジタル化サンプルのフレームを提供する。
【００９６】受信システムの好適実施例の１つの実現例としては、オーディオ信号を再生するヘッドフォンのための携帯用リモート・システムがある。この応用例では、受信システムは、使用されないときには、消勢されなければならない。電源管理回路５６５が、アナログ信号のデジタル化サンプルのフレームが比較的長い周期の間受信されないときを感知する。電源管理回路５６５は、次に、受信システムから電力供給電圧源を取り除く。これが生じるときには、ソフト・ミューティング回路５３５は、電力供給電圧源の消勢の間、ノイズを防止することに従事する。
【００９７】受信クロッキング回路５６０は、オーバーサンプリング・タイミング信号を受信機５０５に提供して変調されたキャリア信号を回復し受信システム３００を固定して、変調されたキャリア信号の回復を保証する。既に述べたように、受信クロック回路５６０は、公称では、図４の送信システム４４０のクロックと同一である、受信クロック回路５６０と送信クロック回路４４０との差異は、すべてが、これら２つの回路の公差及び位相差であり、ジッタ・トラッキング回路５４５及び同期化回路５４０とにおいて、トラッキング及び訂正される。」（第１７頁第３２欄〜第１９頁第３５欄、段落【００８６】〜【００９７】）、
　
　ル．「【００９８】図８のコマンド及び制御バイト８３０及び８４０は、図５の受信バッファ５２０においてアクセス可能なコマンド及び制御データを含んでいる。コマンド及び制御回路５５５は、外部回路へのインターフェースに対する外部接続（図示せず）を有している。このコマンド及び制御回路は、受信バッファにおけるコマンド及び制御回路バイトにアクセスして、そのコマンド及び制御バイトを復号化し、適切なコマンド及び制御信号を外部回路に転送する。好適実施例では、外部接続はシリアル・インターフェースであり、リモート・スピーカへの音量制御を提供したり、パネル・ディスプレイへのテキスト伝送を提供したりする。」（第１９頁第３５欄、段落【００９８】）。
　
　図６には、シリアル伝送のため送受されるフレームのフォーマットが示されており、フレーム中のデータ「ＣＭＤ」は、図８の「コマンド及び制御バイト８３０及び８４０」であるから、引用例１記載の無線赤外線デジタル・オーディオ・システムは、オーディオ及び「コマンド及び制御バイト８３０及び８４０」を多重送信するものであり、
　上記摘記事項リの段落【００６９】及び【００７０】には、送信機システムが、アナログ信号源３０５から作成される「アナログ信号のデジタル化サンプル」、ＣＤ、ＭＰ３、ＤＡＴ及びＤＶＤなどのデジタル信号源３１０からの「アナログ信号のデジタル化サンプル」を入力して送信するものであることが記載され、上記摘記事項ヌの段落【００９５】には、受信システムが、上記アナログ信号源３０５から作成される「アナログ信号のデジタル化サンプル」に対応するアナログ信号出力３８０及び３８５を出力し、上記デジタル信号源３１０からの「アナログ信号のデジタル化サンプル」に対応するデジタル出力３９０を出力するものであることが記載され、更に上述の様に、送信機システム及び受信システムが上記「コマンド及び制御バイト８３０及び８４０」を含めて送受信するものであるから、引用例１の無線赤外線デジタル・オーディオ・システムは、種々の形式を有する複数の入力信号を受信する送信機システムと、種々の形式を有する複数の出力信号を出力する受信システムを含み、該複数の入力信号は「デジタル信号源３１０からのアナログ信号のデジタル化サンプル」と「コマンド及び制御バイト８３０及び８４０」を含むものであり、
　上記摘記事項チの段落【００５２】には「光又はラジオ周波数（ＲＦ）として伝送される」と記載されているから、引用例１記載の「無線赤外線デジタル・オーディオ・システム」は、ＲＦ信号を送受信するものであり、
　上記摘記事項ニに「デジタル・ソース１０からのデジタル化されたサンプルのフォーマットは、ソニー／フィリップス・デジタル・インターフェース（Ｓ／ＰＤＩＦ）を用いて共通にコンパイルを行う。」と記載され、上記摘記事項リの段落【００７０】には、可変サンプリング・レート（ＶＳＲ）コンバータ４０５が「固定されたレートでサンプリングされたアナログ信号のデジタル化サンプル」を作り出すことが記載されているから、引用例１の送信機システムは、「デジタル信号源３１０からのアナログ信号のデジタル化サンプル」をＳ／ＰＤＩＦを用いて共通にコンパイルを行い、固定されたレートでサンプリングされたアナログ信号のデジタル化サンプル（以下、「変換されたアナログ信号のデジタル化サンプル」という。）に変換するものであり、上記摘記事項リ、図４、図６及び図８に記載されているように、デジタル受信機４００、可変サンプリング・レート（ＶＳＲ）コンバータ４０５、伝送データ・バッファ・コントローラ４１０、伝送データ・バッファ４１５及びフレーム・フォーマッタ４２５（以下、まとめて「送信信号合成手段」という。）は、上記「変換されたアナログ信号のデジタル化サンプル」と、送信側の「コマンド及び制御バイト８３０及び８４０」（以下、受信側と区別するために「送信側コマンド及び制御バイト８３０及び８４０」という。）とを有する「シリアル伝送のためのフレームフォーマットの信号」（以下、受信側の信号と区別するために「シリアル伝送のためのフレームフォーマットの送信側信号」という。）を出力しており、
　上記摘記事項リの段落【００８０】〜【００８２】に記載されているように、パルス位置変調器４３０及びバースト送信機４３５は、上記送信信号合成手段と電気的に接続されて前記「シリアル伝送のためのフレームフォーマットの送信側信号」を変調し、ＲＦ信号に変換して自由空間に発送する送信手段として動作するものであり、
　上記摘記事項ヌの段落【００８６】に記載されているように、受信機５０５及び復調器５１０は、ＲＦ信号を受信し、復調して「シリアル伝送のためのフレームフォーマットの信号」（以下、送信側と区別するために「シリアル伝送のためのフレームフォーマットの受信側信号」という。）を生成する受信手段として動作するものであり、
　上記摘記事項ヌ、図５、図６及び図８に記載されているように、受信バッファ・コントローラ５１５、受信データ・バッファ５２０、データ・アウト・インターフェース５５０、コマンド及び制御回路５５５（以下、まとめて「受信信号分離手段」という。）は、『シリアル伝送のためのフレームフォーマットの受信側信号』を受信データ・バッファ５２０に入力し、受信バッファ・コントローラ５１５及びコマンド及び制御回路５５５によって『コマンド及び制御バイト８３０及び８４０』（以下、送信側と区別するために『受信側コマンド及び制御バイト８３０及び８４０』という。）を分離し、受信バッファ・コントローラ５１５及びデータ・アウト・インタフェース５５０によって『デジタル信号源３１０からのアナログ信号のデジタル化サンプル』を分離する動作を行っており、
　 送信側の信号である「シリアル伝送のためのフレームフォーマットの送信側信号」と『送信側コマンド及び制御バイト８３０及び８４０』は、受信側の信号である「シリアル伝送のためのフレームフォーマットの受信側信号」と「受信側コマンド及び制御バイト８３０及び８４０」とにそれぞれ対応することは明らかである。
　
　したがって、上記引用例１の記載及び図面ならびにこの分野における技術常識を考慮すると、上記引用例１には以下の発明（以下、「引用発明」という。）が記載されている。
　
　「オーディオ及び『コマンド及び制御バイト８３０及び８４０』を多重送信する無線赤外線デジタル・オーディオ・システムであって、該無線赤外線デジタル・オーディオ・システムは種々の形式を有する複数の入力信号を受信する送信機システムと、ＲＦ信号を受信して種々の形式を有する複数の出力信号を出力する受信システムを含み、該複数の入力信号は『デジタル信号源３１０からのアナログ信号のデジタル化サンプル』と『コマンド及び制御バイト８３０及び８４０』を含み、
　該送信機システムは、
　前記『デジタル信号源３１０からのアナログ信号のデジタル化サンプル』をＳ／ＰＤＩＦを用いて共通にコンパイルを行い、固定されたレートでサンプリングされたアナログ信号のデジタル化サンプルに変換し、『変換されたアナログ信号のデジタル化サンプル』と『送信側コマンド及び制御バイト８３０及び８４０』とを有する『シリアル伝送のためのフレームフォーマットの送信側信号』を出力する送信信号合成手段と、
　前記送信信号合成手段と電気的に接続されて前記『シリアル伝送のためのフレームフォーマットの送信側信号』を変調し、ＲＦ信号に変換して自由空間に発送する送信手段とを含み、
　該受信システムは、
　前記ＲＦ信号を受信し、復調して『シリアル伝送のためのフレームフォーマットの受信側信号』を生成する受信手段と、
　前記『シリアル伝送のためのフレームフォーマットの受信側信号』を『受信側コマンド及び制御バイト８３０及び８４０』と『デジタル信号源３１０からのアナログ信号のデジタル化サンプル』とに分離する受信信号分離手段とを含み、
　そのうち『シリアル伝送のためのフレームフォーマットの送信側信号』と『送信側コマンド及び制御バイト８３０及び８４０』は『シリアル伝送のためのフレームフォーマットの受信側信号』と『受信側コマンド及び制御バイト８３０及び８４０』とにそれぞれ対応する無線赤外線デジタル・オーディオ・システム。」
　
３．対比
　本願発明と引用発明とを対比する。
　
　ａ．引用発明の「コマンド及び制御バイト８３０及び８４０」は、上記摘記事項ルに記載されているように、外部回路に転送されてリモート・スピーカへの音量制御を提供するデータであるから、オーディオ信号の性質を制御するための信号であって、引用発明の「送信側コマンド及び制御バイト８３０及び８４０」は、本願発明の「（オーディオ信号の性質を制御する）制御入力信号」に相当し、「受信側コマンド及び制御バイト８３０及び８４０」は、本願発明の「制御出力信号」に相当する。
　
　ｂ．引用発明の「無線赤外線デジタル・オーディオ・システム」は、上述のようにＲＦ信号を送受するものであるから、無線オーディオシステムであり、引用発明の「送信機システム」及び「受信システム」は、無線オーディオシステム内のトランスミッター及びレシーバーとして機能するものであるから、それぞれ「トランスミッター」及び「レシーバー」と称することは任意である。
　
　ｃ．引用発明の「デジタル信号源３１０からのアナログ信号のデジタル化サンプル」は、アナログのオーディオ信号を予めデジタル化してあるデジタル信号であって、これを送信側では「第一デジタルオーディオ入力信号」と称し、受信側では「第一デジタルオーディオ出力信号」と称するのは任意である。
　
　ｄ．引用発明の「シリアル伝送のためのフレームフォーマットの送信側信号」は、図６などからも明らかな様に、ビットストリーム形式の信号であるから、それを「ビットストリーム形式のデジタル入力信号」と称するのは任意であり、この信号に対応する受信側の「シリアル伝送のためのフレームフォーマットの受信側信号」を「ビットストリーム形式のデジタル出力信号」と称することも任意である。
　
　ｅ．引用発明の「送信信号合成手段」における「『デジタル信号源３１０からのアナログ信号のデジタル化サンプル』をＳ／ＰＤＩＦを用いて共通にコンパイルを行い、固定されたレートでサンプリングされたアナログ信号のデジタル化サンプルに変換」する動作は、第一デジタルオーディオ信号（デジタル信号源３１０からのアナログ信号のデジタル化サンプル）の形式を変換する動作であるから、引用発明の「送信信号合成手段」と、本願発明の「選択合成装置」とは、「前記第一デジタルオーディオ入力信号の形式を変換し、変換されたデジタルオーディオ信号と前記制御入力信号とを有するビットストリーム形式のデジタル入力信号を出力する送信信号選択合成手段」である点で一致する。
　
　ｆ．引用発明の「送信手段」と、本願発明の「変調モジュール」及び「伝送回路」とは、「前記送信信号合成手段と電気的に接続されて前記ビットストリーム形式のデジタル入力信号を変調し、ＲＦ信号に変換して自由空間に発送する変調及び伝送手段」という点で一致する。
　
　ｇ．引用発明の「受信手段」と、本願発明の「受信回路」及び「復調モジュール」とは、「前記ＲＦ信号を受信し、復調してビットストリーム形式のデジタル出力信号を生成する受信及び復調手段」という点で一致する。
　
　ｈ．引用発明の「受信信号分離手段」は、ビットストリーム形式のデジタル出力信号（シリアル伝送のためのフレームフォーマットの受信側信号）を制御出力信号（受信側コマンド及び制御バイト８３０及び８４０）と第一デジタルオーディオ出力信号（デジタル信号源３１０からのアナログ信号のデジタル化サンプル）とに分離する手段であるから、本願発明の「分離判断装置」に相当する。
　
　すると、本願発明と引用発明とは、以下の点で一致し、相違する。
　
（一致点）
「オーディオ及びデータを多重送信する無線オーディオシステムであって、該無線オーディオシステムは種々の形式を有する複数の入力信号を受信するトランスミッターと、ＲＦ信号を受信して種々の形式を有する複数の出力信号を出力するレシーバーを含み、該複数の入力信号は少なくとも第一デジタルオーディオ入力信号とオーディオ信号の性質を制御する制御入力信号とを含み、
　該トランスミッターは、
　前記第一デジタルオーディオ入力信号の形式を変換し、変換されたデジタルオーディオ信号と前記制御入力信号とを有するビットストリーム形式のデジタル入力信号を出力する送信信号選択合成手段と、
　前記送信信号選択合成手段と電気的に接続されて前記ビットストリーム形式のデジタル入力信号を変調し、ＲＦ信号に変換して自由空間に発送する変調及び伝送手段とを含み、
　該レシーバーは、
　前記ＲＦ信号を受信し、復調してビットストリーム形式のデジタル出力信号を生成する受信及び復調手段と、
　前記ビットストリーム形式のデジタル出力信号を制御出力信号と第一デジタルオーディオ出力信号とに分離する分離判断装置とを含み、
　そのうち第一デジタルオーディオ出力信号と制御出力信号は前記第一デジタルオーディオ入力信号と前記制御入力信号とにそれぞれ対応する無線オーディオシステム。」
　
（相違点１）
　「送信信号選択合成手段」が、本願発明では、変換されたデジタルオーディオ信号を前記制御入力信号と合わせて出力するのに対し、引用発明では、変換されたデジタルオーディオ信号と制御入力信号とを有する信号を出力してはいるものの、送信信号選択合成手段が、変換されたデジタルオーディオ信号を前記制御入力信号と合わせているか不明な点。
　
（相違点２）
　「変調及び伝送手段」が、本願発明では、「前記選択合成装置と電気的に接続されて前記ビットストリーム形式のデジタル入力信号を変調して対応するベースバンド信号を生成する変調モジュール」と、「前記変調モジュールと電気的に接続されて前記ベースバンド信号をＲＦ信号に変換して自由空間に発送する伝送回路」とを有しているのに対し、引用発明は、ビットストリーム形式のデジタル入力信号を変調し、ＲＦ信号に変換して自由空間に発送してはいるものの、上記「変調モジュール」及び上記「伝送回路」とを有しているか不明な点。
　
（相違点３）
　「受信及び復調手段」が、本願発明では、「前記ＲＦ信号を受信して対応するベースバンド信号を生成する受信回路」と、「前記受信回路と電気的に接続されて前記ベースバンド信号を復調してビットストリーム形式のデジタル出力信号を生成する復調モジュール」とを有しているのに対し、引用発明は、ＲＦ信号を受信し、復調してビットストリーム形式のデジタル出力信号を生成してはいるものの、上記「受信回路」及び上記「復調モジュール」とを有しているか不明な点。
　
４．判断
　上記各相違点について検討する。
　
（相違点１）について
　上記摘記事項リの段落【００７８】に記載されている様に、フレーム・フォーマッタ４２５が図６に示されるフレームを出力するのであるから、制御入力信号（コマンド及び制御バイトＣＭＤ）は、それよりも前段において入力されていることは明らかであり、引用発明の「送信信号選択合成手段」（デジタル受信機４００、可変サンプリング・レート（ＶＳＲ）コンバータ４０５、伝送データ・バッファ・コントローラ４１０、伝送データ・バッファ４１５及びフレーム・フォーマッタ４２５）において、変換されたデジタルオーディオ信号を制御入力信号と合わせて出力する様に構成することは、当業者であれば容易に想到し得ることである。
　
（相違点２）及び（相違点３）について
　デジタル信号の伝送方法として、送信側で、デジタル信号を変調して対応するベースバンド信号を生成し、前記ベースバンド信号をＲＦ信号に変換して発送し、受信側で、ＲＦ信号を受信して対応するベースバンド信号を生成し、前記ベースバンド信号を復調してデジタル信号を出力する方法は、例えば、デジタル方式の携帯電話で使用されているように周知の方法であり、ベースバンド信号を処理する部分（変調モジュール／復調モジュール）とＲＦ信号を処理する部分（伝送回路／受信回路）とに分けて構成することも常套手段に過ぎない。
　そして、上記摘記事項ロ及びハにおける従来技術の説明の中で、ＱＰＳＫを使用したオーディオ信号の伝送方法が記載されているように、デジタル信号をＲＦ信号で送受信する引用発明に上記周知技術を適用することに格別の阻害要因があるとは認められないから、引用発明の「変調及び伝送手段」及び「受信及び復調手段」に上記周知技術を適用し、本願発明の構成とすることに格別の困難性は認められない。
　
　そして、本願発明に関する作用効果も、引用発明及び周知技術から当業者が予測できる範囲のものである。
　
５．むすび
　以上のとおり、本願発明は、上記引用例１に記載された発明及び周知技術に基づいて、当業者が容易に発明をすることができたものと認められるから、特許法第２９条第２項の規定により特許を受けることができない。
　
　よって、結論のとおり審決する。